(57)【要約】【課題】建物ユニットと界壁との設計・配置の柔軟性を高め、さらに界壁により仕切られた空間における内装設計等をユーザの要求に応じて行うことが可能な界壁付き建物を提供する【解決手段】本発明に係る界壁付き建物１は、一の建物ユニットＡ１に対して建物ユニットＣ１が連結されており、一の建物ユニットＡ１の内部には、内部空間を二つに仕切る界壁１４が形成されている。他の建物ユニットＣ１は、界壁１４と外壁１６とが略同一面内に位置するように連結されている。【選択図】  図１
2004360327.tif 000002
【特許請求の範囲】
【請求項１】
一の建物ユニットの内部空間を二つに仕切る界壁が形成された界壁付き建物において、前記界壁と他の建物ユニットの外壁とが略同一面内に位置するように、前記一の建物ユニットに対して前記他の建物ユニットが連結されていることを特徴とする界壁付き建物。
【請求項２】
前記界壁は、当該界壁に直交する他の界壁に連結されていることを特徴とする請求項１に記載の界壁付き建物。
【請求項３】
前記他の建物ユニットと前記一の建物ユニットにおいて前記界壁により仕切られた部分とで形成された空間に、玄関と階段とが形成されていることを特徴とする請求項１又は請求項２に記載の界壁付き建物。
【発明の詳細な説明】
【０００１】
【発明の属する技術分野】
本発明は、ユニット建物を構成する建物ユニットの中に居住スペースを区切るための界壁が形成された界壁付き建物に関する。
【０００２】
【従来の技術】
従来より、工場で予め製造された建物ユニットを現地で組み合わせて一つの建物を完成させるユニット建物工法が知られている。特に今日では、二世帯住宅に対するニーズの高まりから、また、賃貸住宅に対する要望から、同一ユニット建物の中に、居住スペースを分け隔てる界壁を設けることによって、同一建物内で２以上の家族が暮らせるように設計された界壁付き建物が多く知られている。（例えば、特許文献１参照。）。
【０００３】
【特許文献１】
特開２００１−２０７５４７号公報
【０００４】
【発明が解決しようとする課題】
しかしながら、今日の界壁付き建物においては、住宅空間を仕切る界壁及び建物ユニットの組み合わせ方に対して様々な要望が生じており、建物ユニットにおける界壁の設置位置及び建物ユニットと界壁との配置、並びに界壁により仕切られた空間における内装設計等をユーザの要求に応じて柔軟に行うことが可能な界壁付き建物が望まれている。
【０００５】
本発明は上記の課題に鑑みてなされたものであり、建物ユニットと界壁との設計・配置の柔軟性を高め、さらに界壁により仕切られた空間における内装設計等をユーザの要求に応じて行うことが可能な界壁付き建物を提供する。
【０００６】
【課題を解決するための手段】
上記課題を解決するために、請求項１に係る発明は、一の建物ユニットの内部空間を二つに仕切る界壁が形成された界壁付き建物において、前記界壁と他の建物ユニットの外壁とが略同一面内に位置するように、前記一の建物ユニットに対して前記他の建物ユニットが連結される界壁付き建物であることを特徴とする。
【０００７】
請求項２に係る発明は、請求項１に記載の界壁付き建物において、前記界壁が、当該界壁に直交する他の界壁に連結されていることを特徴とする。
【０００８】
請求項３に係る発明は、請求項１又は請求項２に記載の界壁付き建物において、前記他の建物ユニットと前記一の建物ユニットにおいて前記界壁により仕切られた部分とで形成された空間に、玄関と階段とが形成されていることを特徴とする。
【０００９】
【発明の実施の形態】
以下、本発明に係る界壁付き建物について説明する。
【００１０】
図１は、界壁付き建物１の１階の間取りを簡単に示した図である。
【００１１】
界壁付き建物１は、図１に示すように玄関２及び２階へつながる階段３が形成された生活空間１と、キッチン４ａ，リビング５ａ，トイレ６ａ及びお風呂７ａが設けられた生活空間２と、キッチン４ｂ，リビング５ｂ，トイレ６ｂ及びお風呂７ｂが設けられた生活空間３とを備えている。生活空間１の階段３は、図示を省略する２階の生活空間４に通じており、生活空間１は、２階の生活空間４に住む住人が出入りするための出入口（アクセス通路）としての役割を担っている。
【００１２】
また、界壁付き建物１は、図２に示すように大型の建物ユニット３つ（ユニットＡ１、ユニットＡ２、ユニットＡ３）と、中型の建物ユニット４つ（ユニットＢ１、ユニットＢ２、ユニットＢ３、ユニットＢ４）と、小型の建物ユニット（ユニットＣ１）とが組み合わされて構成されている。なお、ユニットＡ３は、その短辺がユニットＡ１、ユニットＡ２の短辺よりも短い建物ユニットであり、ユニットＢ４は、その短辺がユニットＢ１、ユニットＢ２、ユニットＢ３の短辺よりも短い建物ユニットである。
【００１３】
界壁付き建物１において生活空間１〜３を分け隔てる界壁は、ほとんどの場合、建物ユニットの側壁により構成されている。例えば、界壁８はユニットＡ１とユニットＡ２との側壁が当接されて形成されており、界壁９はユニットＡ１，Ａ２とユニットＢ３，Ｂ４との側壁が当接されて形成されている。界壁１１はユニットＢ１，Ｂ２とユニットＣ１，Ａ１との側壁が当接されて形成されている。なお、間仕切壁１３は、ユニットＡ２内に形成されている。建物ユニット内に間仕切壁及び界壁を形成する方法は、特開２００１−２０７５４７号公報において開示されており、いわゆる当業者において公知の技術である。
【００１４】
一方、生活空間１と生活空間２とを区画する界壁１４は、図２に示す建物ユニットの配置からも明らかなように、建物ユニットの側壁を互いに当接させて形成されたものではない。界壁１４（図２における鎖線部）はユニットＡ１の内部に形成されており、界壁１４と界壁８とは互いに直交するようにして連結点１５で連結されている。界壁１４はユニットＣ１の外壁１６と同一面内に位置するように形成されている。このように界壁８と界壁１４は、生活空間１と生活空間２とを区画しており、ユニットＡ１の内部空間に界壁８、１４を設置することによって、玄関２及び階段３に適切な空間を、建物ユニットの大きさに制約されずに確保することが可能となっている。例えば、生活空間１を他の界壁と同様にユニットＡ１とユニットＣ１との側壁により形成する場合には、図１に示すように生活空間１に玄関２と階段３とを併設することは困難である。
【００１５】
以上、本発明に係る界壁付き建物１は、玄関２スペース用に小型の建物ユニットＣ１を用いるとともに、界壁８と界壁１４とで階段スペースを形成したので、ユニットＡ１及びユニットＣ１の側壁位置に制限されずに、玄関２及び階段３として最適な広さを確保することが可能となる。
【００１６】
さらに、さらに界壁１４とユニットＣ１の外壁１６とが同一面内に位置するように設計されているので、玄関２スペースと階段３スペースとの一体感を高める間取り設計を実現することができる。
【００１７】
玄関２部分に小型の建物ユニットＣ１を用いることにより玄関２前に駐車スペース等を設けることができ、ユーザの要望に応じた建物ユニットの選択が可能となる。
【００１８】
また、界壁８と界壁１４とが直交するように連結されているので、界壁８と界壁１４との連結部１５における強度を高めることができる。
【００１９】
以上、本発明に係る界壁付き建物１を、図面を用いて説明したが、本発明は上述したものに限定されるものではない。例えば、界壁付き建物１の界壁１４とユニットＣ１の外壁１６とは、略同一面内に位置していれば良い。即ち、図１、図２に示すように、必ずしも界壁１４と外壁１６とが完全に同一面内になければいけないものではなく、外壁１６と界壁１４とが建物の基準寸法（最大で１ｍ）程度離れていても良い。
【００２０】
【発明の効果】
以上説明したように、請求項１に係る界壁付き建物は、界壁と他の建物ユニットの外壁とが略同一面内に位置するように設計されているので、ユーザの要望に応じた建物ユニットを用いることができる。さらに、界壁と他の建物ユニットの外壁とにより生活空間を形成することができるので、連結される建物ユニットの大きさ、側壁の位置等に制限されずに、適切な広さの生活空間を確保することが可能となる。
【００２１】
また、請求項２に係る界壁付き建物では、界壁が直交する他の界壁に連結されているので、界壁と界壁との連結部における強度を高めることができる。
【００２２】
さらに、請求項３に係る界壁付き建物では、他の建物ユニットと一の建物ユニットにおいて界壁により仕切られた部分とで形成された空間に、玄関と階段とが形成されているので、玄関と階段に適した広さの空間を確保することが可能となるとともに、ユーザのニーズにあった設計を建物ユニット及び界壁により実現することが可能となる。
【図面の簡単な説明】
【図１】本発明に係る界壁付き建物の間取りを示した図である。
【図２】本発明に係る界壁付き建物における建物ユニットの構成を示した図である。
【符号の説明】
１  界壁付き建物
２  玄関
３  階段
４ａ、４ｂ  キッチン
５ａ、５ｂ  リビング
６ａ、６ｂ  トイレ
７ａ、７ｂ  お風呂
８、９、１０、１１、１４  界壁
１３  間仕切壁
１５  連結部
１６  ユニットＣ１の外壁
【図１】
2004360327.tif 000003
【図２】
2004360327.tif 000004